(57)【特許請求の範囲】
【請求項１】
先端から突出されて回転駆動されるドリルビットと、先端部に備えられる補助ハンドルと、ドリルビットを囲む伸縮自在な集塵カップとを備えた穿孔工具であって、補助ハンドルに取付台を着脱自在に取付け、取付台に集塵カップを着脱自在に取付け、ドリルビットを挿通させる孔を貫通した防塵板の周部を取付台の先端部に係合して、取付台に防塵板を取付けて成ることを特徴とする穿孔工具。
【請求項２】
補助ハンドルにドリルビットと略平行に深さゲージを保持し、集塵カップの半径を、ドリルビットの回転中心から深さゲージまでの距離よりも小さくしたことを特徴とする請求項１記載の穿孔工具。
【請求項３】
防塵板に略Ｖ字状溝を防塵板の中心から放射状に形成して成ることを特徴とする請求項１記載の穿孔工具。  
【発明の詳細な説明】
【０００１】
【発明の属する技術分野】
本発明は、回転、打撃駆動することによりコンクリートなどの被削材に穿孔をおこなうとともに穿孔をおこなった後の粉塵を集める穿孔工具に関し、詳しくは、集塵カップの取付けを効果的におこない、集塵カップと補助ハンドル及び深さゲージの同時使用を可能とし、使い易さを高め、かつ、ドリルビットのチャック部への防塵性を高めようとする技術に係るものである。
【０００２】
【従来の技術】
従来、穿孔工具を使用して穴明け作業をする場合、特に、上向き作業時には粉塵が作業者側に降りかかってくるため、作業性が悪いだけでなく、安全上も問題がある。この問題を解決するため、ドリルビットの周囲を伸縮自在な蛇腹状の集塵カップで囲んで粉塵を外に逃がさないように構成した集塵手段がある。
【０００３】
【発明が解決しようとする課題】
ところが、従来の集塵カップは工具本体の回転駆動部（例えば、チャック）の近傍に着脱するものであり、粉塵が集塵カップの装着部分に入り込み、その影響で集塵カップ自体も回転してしまう場合があり、作業性が悪くなり、また、集塵カップは本体ハウジングに着脱できるが、同時に補助ハンドルを使用することができないものである。更に、集塵カップ及び補助ハンドルを使用するいずれの場合も深さゲージを同時に使用することができず、かつ、集塵カップを使用する場合に、ドリルビットが見え難く、集塵カップを使用する時には、決まった深さの穴をあけるのが困難となるものであった。
【０００４】
しかも、集塵カップの内側のドリルビット等のチャック部への粉塵の侵入を防ぐ必要のため防塵ゴム６ａを配するのであるが、円形の防塵ゴム６ａには図８に示すように、放射状に切溝８ａを形成してドリルビットを挿通できるようにしてあり、このため、防塵性が乏しく、チャック部への粉塵が侵入しやすく、侵入の結果、ビットが焼付いたり、抜けなくなるなどの問題があった。
【０００５】
本発明はこのような問題に鑑みてなされたものであり、その目的とするところは、補助ハンドルを有効に利用し、これに集塵カップを着脱自在に取付けることで、集塵カップが不測に回転することがなく、また、補助ハンドルと深さゲージの両方を同時に使用することができ、使い易さを高め、かつ、チャック部への防塵を良好におこなえる穿孔工具を提供するものである。
【０００６】
【課題を解決するための手段】
請求項１の発明においては、先端から突出されて回転駆動されるドリルビット１と、先端部に備えられる補助ハンドル２と、ドリルビット１を囲む伸縮自在な集塵カップ３とを備えた穿孔工具であって、補助ハンドル２に取付台４を着脱自在に取付け、取付台４に集塵カップ３を着脱自在に取付け、ドリルビット１を挿通させる孔７を貫通した防塵板６の周部を取付台４の先端部に係合して、取付台４に防塵板を取付けて成ることを特徴とするものである。
【０００７】
請求項２の発明においては、補助ハンドル２にドリルビット１と略平行に深さゲージ５を保持し、集塵カップ３の半径を、ドリルビット１の回転中心Ｐから深さゲージ５までの距離Ｌよりも小さくしたことを特徴とするものである。
【０００８】
請求項３の発明においては、防塵板６に略Ｖ字状溝８を防塵板６の中心から放射状に形成して成ることを特徴とするものである。  
【０００９】
請求項１の構成においては、補助ハンドル２と集塵カップ３の両者の同時使用が可能となり、集塵カップ３が不測に回転することもない。また取付台４を補助ハンドル２に装着し易い形状に、また、取付台４を集塵カップ３が装着しやすい形状にすることができ、集塵カップ３の補助ハンドル２への取付けが容易におこなえる。
請求項２の構成においては、請求項１の作用に加えて、集塵カップ３と深さゲージ５を同時に使用でき、集塵カップ３を使用することで、ドリルビット１が見え難くなる場合にも、深さゲージ５によって決まった深さの穿孔加工がおこなえる。
【００１０】
請求項３の構成においては、請求項１の作用に加えて、従来のようなスリットに比べてドリルビット１等のチャック部に対する防塵性を高めることができる。
【００１１】
【発明の実施の形態】
以下本発明の一実施の形態を図面に基づいて詳述する。
図１（ａ）は全体斜視図を示し、同図（ｂ）は一部破断した側面図を示している。
図１（ａ）及び（ｂ）に示すように、穿孔工具Ａは、ハンドル９を握ってスイッチ１０を投入し、ハウジング１２に内蔵のバッテリーにより伝導駆動部を介してチャック部１１に保持したドリルビット１を回転、打撃駆動することによりコンクリートなどの被削材に穿孔をおこなうものである。ハウジング１２の先端部には、補助ハンドル２が着脱自在に取付けられている。
【００１２】
図５及び図６は、補助ハンドル２をハウジング１２に取付ける構成を示していて、ハウジング１２の外周に例えば金属ベルト１３を巻回し、ボルト１４を挿通し、上部体１５をボルト１４に挿通し、補助ハンドル２をボルト１４に挿通し、補助ハンドル２に埋設したナット１６をボルト１４に螺合することで、補助ハンドル２をハウジング１２に取外し自在に取付けてある。補助ハンドル２はハウジング１２に対して向きを変更することができ、右利き及び左利きの人に対応できるようになっている。
【００１３】
図３及び図４は取付台４を示していて、補助ハンドル２にワンタッチで取付けることができ、取付台４には蛇腹状の集塵カップ３を取付けてドリルビット１を囲繞し、穿孔加工において、粉塵を外部に飛散するのを阻止するようにしている。以下その構成を詳述する。
取付台４には円筒状の係合部１７が形成されて、ハウジング１２の前端部の外周部に係合することができるようになっている。取付台４の係合部１７から当たり板１８が垂下され、当たり板１８から一対の抱持片１９，１９が延出され、抱持片１９の先端にはフック２０が形成されている。しかして、図１（ａ）に示すように、取付台４の係合部１７をハウジング１２の前端部に係合し、当たり板１８を円筒状の補助ハンドル２の前面に当接し、一対の抱持片１９，１９を円筒状の補助ハンドル２の左右に抱持片１９，１９の弾性変形能を利用して、弾性的に抱持し、フック２０を円筒状の補助ハンドル２の背部に回して、取付台４を補助ハンドル２にワンタッチで取付けることができるようになっている。
【００１４】
取付台４の係合部１７の外周部には係止突部２１が周方向に間隔を隔てて複数個形成され、透明もしくは半透明の合成樹脂製で蛇腹状の集塵カップ３の根元部を係止突部２１…に係止して、集塵カップ３の抜止めを図っている。
以上のように、補助ハンドル２に取付台４を着脱自在に取付け、取付台４に集塵カップ３を着脱自在に取付けることで、取付台４を補助ハンドル２に装着し易い形状に、また、取付台４を集塵カップ３が装着しやすい形状にすることができるのであり、集塵カップ３の補助ハンドル２への取付けが容易におこなえるのである。
【００１５】
補助ハンドル２を構成する上部体１５には深さゲージ取付け孔２２が形成され、摘みつき締め具２３を回転させることで、深さゲージ５を所定の位置において締め付け固定できるようになっている。この場合、集塵カップ３の半径を、ドリルビット１の回転中心Ｐから深さゲージ５までの距離Ｌよりも小さくしてあり、集塵カップ３と深さゲージ５を同時に使用でき、集塵カップ３を使用することで、ドリルビット１が見え難くなる場合にも、深さゲージ５によって決まった深さの穿孔加工がおこなえる。
【００１６】
図７は防塵板６を示していて、ゴム製の防塵板６にはドリルビット１を挿通させる孔７が貫通され、周部の円筒部２４の内周溝２５を取付台４の先端部の外周突部２６に係合させることで、防塵板６を取付台４に取付けることできるようになっている。
防塵板６には、略Ｖ字状溝８を防塵板６の中心から放射状に形成してあり、従来のようなスリットに比べてドリルビット１等のチャック部に対する防塵性を高めることができるのである。
【００１７】
【発明の効果】
請求項１の発明においては、先端から突出されて回転駆動されるドリルビットと、先端部に備えられる補助ハンドルと、ドリルビットを囲む伸縮自在な集塵カップとを備えた穿孔工具であって、集塵カップを補助ハンドルに着脱自在に取付けてあるから、補助ハンドルと集塵カップの両者の同時使用が可能となり、集塵カップが不測に回転することもないという利点がある。
【００１８】
また補助ハンドルに取付台を着脱自在に取付け、取付台に集塵カップを着脱自在に取付けたから、取付台を補助ハンドルに装着し易い形状に、また、取付台を集塵カップが装着しやすい形状にすることができ、集塵カップの補助ハンドルへの取付けが容易におこなえるという利点がある。
【００１９】
請求項２の発明においては、補助ハンドルにドリルビットと略平行に深さゲージを保持し、集塵カップの半径を、ドリルビットの回転中心から深さゲージまでの距離よりも小さくしたから、請求項１の効果に加えて、集塵カップと深さゲージを同時に使用でき、集塵カップを使用することで、ドリルビットが見え難くなる場合にも、深さゲージによって決まった深さの穿孔加工がおこなえるという利点がある。
【００２０】
請求項３の発明においては、防塵板に略Ｖ字状溝を防塵板の中心から放射状に形成してあるから、請求項１の効果に加えて、従来のようなスリットに比べてドリルビット等のチャック部に対する防塵性を高めることができるという利点がある。
【図面の簡単な説明】
【図１】本発明の一実施の形態を示し、（ａ）は全体斜視図、（ｂ）は一部破断した概略側面図である。
【図２】概略正面図である。
【図３】取付台を示し、（ａ）は側面図、（ｂ）は正面図、（ｃ）は背面図である。
【図４】取付台を示し、（ａ）は平面図、（ｂ）は断面図、（ｃ）はフック部を示す破断平面図である。
【図５】補助ハンドルの取付け状態を示す概略正断面図である。
【図６】補助ハンドルに深さゲージを取付けた側面図である。
【図７】防塵板を示し、（ａ）は正面図、（ｂ）は（ａ）のＢーＢ線断面図である。
【図８】従来の防塵板を示し、（ａ）は概略正面図、（ｂ）は（ａ）のＣーＣ線断面図である。
【符号の説明】
１    ドリルビット
２    補助ハンドル
３    集塵カップ
４    取付台
５    深さゲージ
６    防塵板
７    孔
８    略Ｖ字状溝
【図１】
0003726437.tif 000002
【図２】
0003726437.tif 000003
【図３】
0003726437.tif 000004
【図４】
0003726437.tif 000005
【図５】
0003726437.tif 000006
【図６】
0003726437.tif 000007
【図７】
0003726437.tif 000008
【図８】
0003726437.tif 000009